(57)【特許請求の範囲】
【請求項１】
パネルの収納が可能な開口を有する金属枠体の上枠及び一対の縦枠の室内側面に樹脂枠を結合してなる枠体にパネルを取り付けるパネル取付構造において、
前記金属枠体の前記一対の縦枠に、その室内側面に沿って前記開口の中心側に突出する取付縁を一体に形成し、
前記パネルには、その縦辺に、室内側部分にねじ受け部を、室外側部分に前記金属枠体の縦枠の方向に突出するパッキングが設けられ、かつ、前記ねじ受け部と前記パッキングの間に隙間調整部品が備えられた金属製保持部材を取付け、
前記金属枠体の開口に前記パネルを収容し、前記取付縁に関して前記パネルと反対側からその取付縁に貫通したビスを前記ねじ受け部にねじ込んで前記パネルを前記金属枠体に固定し、
前記樹脂枠の縦枠の前記取付縁よりも室内側部分に形成された互いに対向して開口する溝に樹脂カバーを嵌合して取付けて、その樹脂カバーにより前記取付縁及び前記ビスを被覆したことを特徴とするパネル取付構造。
【請求項２】
樹脂カバーの室外側端部に金属製保持部材のねじ受け部とパネルの室内側面との間に挿入される挿入縁を一体的に形成するとともに、その挿入縁の室外側面に前記樹脂カバーが樹脂縦枠に嵌合して取り付けられた際に前記パネルの室内側面に弾力的に当接する当接部を突設してあることを特徴とする請求項１に記載のパネル取付構造。
【請求項３】
金属上枠と金属下枠と左右の金属縦枠とその金属縦枠に近い位置に設けられた金属方立とからなる金属枠体の中に断熱袖パネルと断熱ドアが備えられ、前記金属枠体の上枠、縦枠及び方立の屋内側面に樹脂上枠、樹脂縦枠及び樹脂方立が結合されている断熱ドア装置において、
前記金属縦枠と金属方立に、その屋内側面に沿って前記断熱袖パネルを収容する開口の中心側に突出する取付縁を一体に形成し、
前記開口に、室内側部分にねじ受け部を、室外側部分に前記金属枠体の縦枠及び方立の方向に突出するパッキングが設けられ、かつ、前記ねじ受け部と前記パッキングの間に隙間調整部品を備えられている金属製保持部材を少なくとも縦辺に取付けたパネルを収容し、
屋内側から前記取付縁に貫通したビスを前記ねじ受け部にねじ込んで前記断熱袖パネルを前記金属枠体に固定し、
前記樹脂縦枠及び前記樹脂方立の前記取付縁よりも室内側部分に形成された互いに対向して開口する溝に樹脂カバーを嵌合して取付けて、その樹脂カバーにより前記取付縁及び前記ビスを被覆したこと、
を特徴とする断熱ドア装置。
【発明の詳細な説明】
【０００１】
【発明の属する技術分野】
本発明は、玄関の袖パネル、欄間パネル、あるいは嵌め殺し窓パネルなどのパネルを枠体に取付ける構造及びそのパネル取付構造を用いる断熱ドア装置に関する。
【０００２】
【従来の技術】
玄関の袖パネル、欄間パネル、あるいは嵌め殺し窓パネルなどのパネルは、通常、予めパネル材の周縁に保護材又は補強材を取付けた状態で単体に形成されており、そのパネルを取付ける玄関又は窓の枠体は、予め矩形に枠組みされて開口を形成している。そして、パネルを枠材に取付けるには、パネルを施工現場において枠体の開口に嵌合して固定するが、従来は、枠体の内周縁の屋内側部分に開口中心側に突出するように形成されている突縁にパネルの周縁部の屋内側面を当接し、そのパネルの屋外側から枠体に押し縁を嵌め込んで、パネルを枠体に固定するので通例である。
【０００３】
ところで、寒冷地で用いる玄関ドア装置や窓装置においては、所要の断熱性を備えるため、断熱構造を有する枠体及びパネルが多く使用されている。その場合の枠体の断熱構造は、（ａ）枠体を屋外側金属枠と屋内側金属枠とに分割し、両枠の間に断熱材を介在させてビスにより結合したものや、（ｂ）屋外側金属枠に屋内側樹脂枠を嵌着又は嵌着とビスにより結合したものがある。そして、パネルは、枠体とパネルの間に位置決め用ピースを介在させて位置決めをし、外枠と内枠に形成された突縁の先端に装着されたパッキングをパネルの周縁部の屋外側面及び屋内側面に密着させて保持されている。
【０００４】
【発明が解決しようとする課題】
従って、従来のパネル取付構造においては、上記（ａ）の場合は、期待に沿う断熱性能が得られない。上記（ｂ）は断熱性能に優れているが、パネルの枠体に対する取付が容易でなく、手間がかかる問題があった。また、取付けビスが露見されるため、見栄えが良くない。
さらに、玄関ドア装置又は嵌め殺し窓に取付けられるパネルは、ドア開閉時又は引き戸開閉時に予想以上に大きな衝撃力を受け、台風時などには屋内外方向に大きな力を受けてパネルが枠体に対して移動して、気密性、水密性及び断熱性が低下する問題があった。
【０００５】
本発明は、上記の点に鑑みて成されたものであり、その課題は、パネル取付構造においては、パネルの枠体に対する取付を容易にするとともに、取付後のパネル周辺の見栄えを改善し、断熱ドア装置においては、断熱パネルを高い断熱性をもって取付けることを可能にすることにある。
【０００６】
【課題を解決するための手段】
上記課題を解決するため、請求項１の発明は、パネルの収納が可能な開口を有する金属枠体の上枠及び一対の縦枠の室内側面に樹脂枠を結合してなる枠体にパネルを取り付けるパネル取付構造において、前記金属枠体の前記一対の縦枠に、その室内側面に沿って前記開口の中心側に突出する取付縁を一体に形成し、前記パネルには、その縦辺に、室内側部分にねじ受け部を、室外側部分に前記金属枠体の縦枠の方向に突出するパッキングが設けられ、かつ、前記ねじ受け部と前記パッキングの間に隙間調整部品が備えられた金属製保持部材を取付け、前記金属枠体の開口に前記パネルを収容し、前記取付縁に関して前記パネルと反対側からその取付縁に貫通したビスを前記ねじ受け部にねじ込んで前記パネルを前記金属枠体に固定し、前記樹脂枠の縦枠の前記取付縁よりも室内側部分に形成された互いに対向して開口する溝に樹脂カバーを嵌合して取付けて、その樹脂カバーにより前記取付縁及び前記ビスを被覆したことを特徴としている。
上記構成により、パネルを金属枠体の開口に嵌合すると、隙間調整部品がパネルを左右いずれの方向にも偏らせることなく、中央の適正位置に位置決めするため、ねじ受け部が取付縁のねじ貫通孔に容易に合致する。従って、ビスの貫通・ねじ込みが容易にでき、パネルを簡単に固定することができる。また、左右のパッキングが均等な圧力で金属枠体に当接する。パネルは、取付縁を介して金属縦枠に直接固着される。従って、パネルは金属枠体に確実に固定される。取付縁と取付ビスは樹脂カバーにより被覆されるので、パネル周縁部の見栄えが良い。
【０００７】
上記パネルの取付構造において、樹脂カバーの室外側端部に金属製保持部材のねじ受け部とパネルの室内側面との間に挿入される挿入縁が一体的に形成されるとともに、その挿入縁の室外側面に前記樹脂カバーが樹脂縦枠に嵌合して取り付けられた際に前記パネルの室内側面に弾力的に当接する当接部が突設されていることが望ましい。
上記構成により、適正な位置に収容されたパネルと枠体との間は、室外側のパッキングと室内側の当接部により二重に気密化及び水密化されるので、パネル取付状態気密性及び水密性の高いパネル取付構造とすることができる。すなわち、パネル取付後は樹脂カバーとパネルとの間に高い気密性及び水密性に支持された断熱性が得られる。
【０００８】
請求項３の発明の断熱ドア装置は、金属上枠と金属下枠と左右の金属縦枠とその金属縦枠に近い位置に設けられた金属方立とからなる金属枠体の中に断熱袖パネルと断熱ドアが備えられ、前記金属枠体の上枠、縦枠及び方立の屋内側面に樹脂上枠、樹脂縦枠及び樹脂方立が結合されている断熱ドア装置において、前記金属縦枠と金属方立に、その屋内側面に沿って前記断熱袖パネルを収容する開口の中心側に突出する取付縁を一体に形成し、前記開口に、室内側部分にねじ受け部を、室外側部分に前記金属枠体の縦枠及び方立の方向に突出するパッキングが設けられ、かつ、前記ねじ受け部と前記パッキングの間に隙間調整部品を備えられている金属製保持部材を少なくとも縦辺に取付けたパネルを収容し、屋内側から前記取付縁に貫通したビスを前記ねじ受け部にねじ込んで前記断熱袖パネルを前記金属枠体に固定し、前記樹脂縦枠及び前記樹脂方立の前記取付縁よりも室内側部分に形成された互いに対向して開口する溝に樹脂カバーを嵌合して取付けて、その樹脂カバーにより前記取付縁及び前記ビスを被覆したことを特徴としている。
上記構成により、隙間調整部品により断熱袖パネルが金属枠体の金属縦枠と金属方立の間の正確な位置に嵌合され、パネル固定用のビスのねじ込みが容易にでき、パネルが金属枠に直接固定されて、確実堅固に固定される。金属枠体の取付縁と取付ビスは樹脂カバーにより被覆されるので、断熱袖パネルの周縁部の見栄えが良い。また、断熱袖パネルと金属枠体との間に高い気密性及び水密性が確保される。
【０００９】
【発明の実施の形態】
次に、本発明の実施の形態を図面を参照しながら説明する。
本発明は、玄関ドア装置の袖パネル、玄関ドア装置の欄間パネル、あるいは、嵌め殺し窓のパネルの取付に適用可能であるが、以下には、本発明を玄関ドア装置の袖パネルの取付に適用した場合について説明する。
図１は２種類の玄関ドア装置の正面図、図２は図１の玄関ドア装置の概略横断面、図３は図２のＸ−Ｘ線断面図である。図４は図２の袖パネル取付部の拡大横断面図、図５は図４のＹ−Ｙ断面図である。
【００１０】
袖パネルを取付けた玄関ドア装置には、図１（ａ）の片袖パネル付きと、同図（ｂ）の両袖パネル付きとがある。
片袖パネル付き玄関ドア装置においては、図１（ａ）及び図２（ａ）に示すように、ドア枠体Ｆ１は、いずれも金属形材で作られた上枠１、左右の縦枠２及び下枠３を矩形に枠組みし、上枠１と下枠３の間に１本の金属形材で作られた方立４をいずれかの縦枠に近い位置において接続してなっている。そして、方立４と方立から遠い縦枠２との間にドア収容用の開口Ｏ１が形成され、その開口Ｏ１にドア５が収容され、開閉自在に支持され、また、方立４と方立４に近い縦枠２との間にパネル収容用の開口Ｏ２が形成され、その開口Ｏ２に袖パネル６が固定されている。
両袖パネル付き玄関ドア装置においては、図１（ｂ）及び図２（ｂ）に示すように、ドア枠体Ｆ２は、同様の上枠１、左右の縦枠２及び下枠３を矩形に枠組みし、上枠１と下枠３の間に２本の同様の方立４を両縦枠２に近い位置において接続してなっている。そして、両方立４の間にドア収容用の開口Ｏ１が形成され、その開口Ｏ１にドア５が収容されて開閉自在に支持され、各方立４と各方立に近い縦枠２との間にパネル収容用の開口Ｏ２が形成され、その開口Ｏ２に袖パネル６が後述されるようにして、取付られている。
【００１１】
寒冷地の住宅に設けられる玄関ドア装置は、所要の断熱性を備えるため、ドア枠体Ｆ１，Ｆ２、ドア５及び袖パネル６が断熱構造を有している。すなわち、断熱ドア枠と断熱ドアと断熱袖パネルが用いられている。
図２（ａ）（ｂ）は、このような断熱構造を備えた場合の図１（ａ）（ｂ）にそれぞれ対応する概略横断面図であり、図３は図２のＸ−Ｘ線断面図である。
図示の例においては、ドア枠体Ｆ１，Ｆ２は、屋外側にアルミニウム合金などの金属製形材で形成された金属枠体を有し、その金属枠体の屋内側に合成樹脂製形材で形成された樹脂枠が接続されている。さらに詳述すると、金属枠体は、金属上枠１ｍと、左右の金属縦枠２ｍと、金属下枠３とを周知の方法により矩形に接続し、金属上枠１ｍと金属下枠３の間に、一方の金属縦枠２ｍに近い位置において金属方立４ｍを接続してなっている。そして、金属上枠１ｍ、左右の金属縦枠２ｍ及び金属方立４ｍの屋内側部分に樹脂枠１ｐ，２ｐ，４ｐが結合されている。
換言すると、ドア枠体Ｆ１の構成部材である上枠１は、所要の強度を有するため中空部を備えた金属上枠１ｍの屋内側に樹脂上枠１ｐを係合とねじ止めなどにより接続してなり、縦枠２は、同様に所要の強度を有するため中空部を備えた金属縦枠２ｍの屋内側に樹脂縦枠２ｐを係合とねじ止めなどにより接続してなり、また、方立４は、所要の強度を有するため中空部を備えた金属方立４ｍの屋内側に樹脂方立４ｐを係合とねじ止めなどにより接続してなっている。
【００１２】
断熱ドア５は、矩形に接続されている樹脂枠体の中に発泡樹脂を充填してなり、軽量で断熱性に優れている。また、ドアは、丁番７を介して、図２（ａ）においては一方の縦枠２の金属縦枠２ｍに、図２（ｂ）においては一方の方立４の金属方立４ｍに開閉自在に支持されている。
【００１３】
そして、上記いずれの玄関ドア装置の場合も、袖パネル６は、同様の構造により上枠１と下枠３と一方の縦枠２と方立４との間に取付けられる。以下に、図４及び図５に基づいて、片袖パネル付き玄関ドア装置の場合について、詳細に説明する。図４は図２の袖部の拡大断面図、図５は図４のＹ−Ｙ線断面図である。
【００１４】
ドア枠体Ｆ１の縦枠２の金属縦枠２ｍと、方立４の金属方立４ｍは、上枠１の金属上枠１ｍ及び下枠３との間に、袖パネル６を収納するための開口８を形成しているが、金属縦枠２ｍ及び金属方立４ｍの開口８の屋内側面に沿ってその開口中心側に突出する取付縁２１，４１が一体に形成されている。
上枠１の樹脂上枠１ｐは、金属上枠１ｍの屋内側部分において、開口８中心方向と屋内方向に突出するように形成された突縁１１，１２に係合して固定されている。また、縦枠２の樹脂縦枠２ｐは、金属縦枠２ｍの屋内側部分に形成された溝２２と突縁２３と前記取付縁２１の一部に係合して固定されている。
下枠３は、金属下枠のみで形成され、その屋内側部分には段部３１が一体に設けられ、その段部に上面に開口する溝３２が形成されて、その溝にゴム製の滑り止め部材３ａが嵌着されている。
【００１５】
また、方立４の樹脂方立４ｐは、金属方立４ｍの屋内側部分に形成された溝４２と突縁４３と前記取付縁４１の一部に係合して固定されている。
しかし、取付強度を高めるため、樹脂上枠１ｐと樹脂縦枠２ｐ及び樹脂方立４ｐは、前記突縁１２，２３、４３にねじで結合されても良い。そして、樹脂縦枠２ｐと樹脂方立４ｐの対向面には、前記取付縁２１，４１を屋内側に対して被覆する樹脂カバー９を嵌合により固定することができるように、溝２４，４４が形成されている。
【００１６】
上記袖パネル６は、一例として、矩形に接続された樹脂枠６１の屋外側面と屋内側面に形成された溝にスチール板６２の直角に屈曲された周縁端部を差し込んで中空パネルが形成され、その中空パネルの中空部に発泡樹脂６３を充填硬化させて、断熱袖パネルに構成してある。そして、樹脂枠６１の縦枠の外側に金属形材製の保持部材１０を装着し、その両側の保持部材１０の外側からビスｎ１をねじ込んで固定されている。保持部材１０は、屋内側端部が袖パネル中心側に屈曲され、その屈曲部分に屋内方向に開口する溝状のねじ受け部１０ａが形成されている。このねじ受け部１０ａは、保持部材１０の長手方向に連続している。
【００１７】
前記樹脂カバー９は、所要の強度を備え、かつ、外観を簡素にするため、Ｌ字形に連続する中空部を有し、屋外側端部に外方向に伸びる挿入縁９ａが一体に形成され、屋内側端部に外方向に突出して、樹脂縦枠２ｐの溝２４又は樹脂方立４ｐの溝４４に嵌着することができる一対の突起９ｂが一体に形成されている。また、その挿入縁９ａの屋外側面には、弾性樹脂で成形されて、断面形状が中空半円状をなし、屋外方向に突面を有する当接部９ｃが設けられている。
【００１８】
袖パネル６の屋内側面と保持部材１０の屈曲部分との間には僅かな隙間ｓが形成されており、この隙間ｓに前記樹脂カバー９の挿入縁９ａを挿入できるようになっている。
【００１９】
上記構成により、袖パネル６をドア枠体Ｆ１に取付けるには、ドア枠体Ｆ１の枠組みが完了した後、すなわち、金属枠体に樹脂枠が固定された後、袖パネル６を上枠１と下枠３と縦枠２と方立４の間の開口８に嵌合する。その場合、袖パネルの下端部に適宜の間隔をもってねじｎ２により固定されているスペーサ６４を下枠３の上面に載せ、かつ、袖パネルの左右両側面に適当な間隔をもって取付けられている隙間調整部品６５を金属縦枠２ｍと金属方立４ｍの対向面に当接させることにより、袖パネル６は適切な位置に嵌合される。適切な位置とは、保持部材１０に設けてあるねじ受け部１０ａが、金属縦枠２ｍと金属方立４ｍに設けてある取付縁２１，４１に予め形成してあるねじ貫通孔に合致する位置である。
【００２０】
こうして、袖パネル６が適切な位置に嵌合された後、取付縁２１，４１の屋内側から取付けビスｎ３をその取付縁に設けてあるねじ貫通孔に貫通し、さらにねじ受け部１０ａにねじ込むことにより、袖パネル６をドア枠Ｆ１に固定する。
この状態において、袖パネル６の上部屋内側面には樹脂上枠１ｐに嵌着されているパッキングｐ１が、また、袖パネル６の下部屋内側面には下枠３の見込み幅方向中間部に形成してある段面に装着してあるパッキングｐ２が、それぞれ密着するようになっている。さらに、袖パネル６の保持部材１０の屋外側部分に装着されているフィン状パッキングｐ３が金属縦枠２ｍと金属方立４ｍの対向面に密着している。
従って、ドア枠と袖パネルとの間には、高い断熱性と気密性と水密性が得られる。
【００２１】
続いて、樹脂カバー９の挿入縁９ａを袖パネル６の屋内側面と保持部材１０の屈曲縁との間の隙間ｓに挿入するとともに、その樹脂カバーの屋内側端部を樹脂縦枠２ｐの溝２４又は樹脂方立４ｐの溝４４に嵌合して、その樹脂カバー９を固定する。この時、樹脂カバー９の屋外側面に形成された当接部９ｃは、袖パネル６の屋内側面の周縁部に弾力的に当接する。
これにより、保持部材１０と金属縦枠２ｍの取付縁２１とねじｎ３、又は保持部材１０と金属方立４ｍの取付縁４１とねじｎ３とが樹脂カバー９により隠蔽されるため、屋内側に露見されない。また、袖パネル６と樹脂カバー９との間に気密性が確保される。樹脂カバー９の当接部９ｃが軟質樹脂で形成された場合は、樹脂カバーの装着後も、当接部９ｃが袖パネルに対して弾力的に密着する良好な状態が維持される。
【００２２】
上記のように袖パネルの取付が完了した状態においては、図４及び図５に示すように、玄関ドア装置の屋外側には耐候性と意匠性に優れた金属枠体が臨み、屋内側には装飾性と断熱性に優れた樹脂枠が臨み、かつ、その樹脂枠の内側に樹脂カバーが連続状に取付けられて、袖パネルを金属縦枠に接続する取付縁２１，４１や取付ビスｎ３が隠蔽されるため、袖パネルの周辺は簡素な外観を呈して、見栄えが良い。
【００２３】
【発明の効果】
上述のように、請求項１の発明によれば、金属枠体の一対の縦枠に、その室内側面に沿って開口の中心側に突出する取付縁を一体に形成し、パネルには、その縦辺に、室内側部分にねじ受け部を、室外側部分に前記金属枠体の縦枠の方向に突出するパッキングが設けられ、かつ、前記ねじ受け部と前記パッキングの間に隙間調整部品が備えられた金属製保持部材を取付け、前記金属枠体の開口に前記パネルを収容し、前記取付縁に関して前記パネルと反対側からその取付縁に貫通したビスを前記ねじ受け部にねじ込んで前記パネルを前記金属枠体に固定し、前記樹脂枠の縦枠の前記取付縁よりも室内側部分に形成された互いに対向して開口する溝に樹脂カバーを嵌合して取付けて、その樹脂カバーにより前記取付縁及び前記ビスを被覆したので、（あ）パネルを金属枠体の開口に嵌合すると、隙間調整部品がパネルを左右いずれの方向にも偏ることなく、中央の適正位置に位置決めするため、ねじ受け部が取付縁のねじ貫通孔に容易に合致し、ビスによるパネルの取付が容易にできる。また、（い）パネルは、取付縁を介して金属縦枠に直接固着されるから、パネルは金属枠体に確実に固定される。（う）隙間調整部品によりパネルが左右方向の適正な位置に位置決めされて、パネルの左右方向の移動が阻止されるので、左右のパッキングが均等な圧力で金属枠体に当接する。従って、各パッキングが確実に水密性と気密性を発揮する。さらに、（え）樹脂カバーは、金属枠体の縦枠の取付縁が設けられた側の側面に結合される樹脂枠の対向して開口する溝に嵌合して取付けられるので、樹脂カバーの取付けが容易である。加えて、（お）取付縁とビスは樹脂カバーにより被覆されるので、パネル周縁部の見栄えが良い。
【００２４】
請求項２の発明によれば、樹脂カバーの室外側端部に金属製保持部材のねじ受け部とパネルの室内側面との間に挿入される挿入縁が一体的に形成されるとともに、その挿入縁の室外側面に前記樹脂カバーが樹脂縦枠に嵌合して取り付けられた際に前記パネルの室内側面に弾力的に当接する当接部が突設されているので、隙間調整部品により中央の適正な位置に位置付けされたパネルと枠体との間は、室外側のパッキングと室内側の当接部により二重に気密化及び水密化されるので、気密性、水密性及び断熱性の高いパネル取付構造とすることができる。また、樹脂カバーは室内側端部が樹脂縦枠に嵌合され、室外側端部が挿入縁と当接部を介してパネルに押圧されるので、嵌合するだけで確実に固定することができる。
【００２５】
請求項３の発明によれば、隙間調整部品により断熱袖パネルが金属枠体の金属縦枠と金属方立の間の正確な位置に嵌合されるのでパネルを固定するためのねじのねじ込みが容易にでき、パネルは金属枠に直接固定されるので確実堅固に固定され、金属枠体の取付縁と取付ビスは樹脂カバーにより被覆されるので断熱ドア装置の断熱袖パネルの周縁部の見栄えが良く、また、隙間調整部品による断熱袖パネルの適正な位置付けに基づく断熱袖パネルと金属縦枠及び金属方立との間のパッキングのの均等な押圧力による密着と、樹脂カバーとパネルの室内側面との間に存在する当接部とによって内外二重の密閉構造が構成されるので、高い気密性、水密性及び断熱性を有する断熱ドア装置を提供することができる。
【図面の簡単な説明】
【図１】  ２種類の玄関ドア装置の正面図。
【図２】  図１の玄関ドア装置の概略横断面。
【図３】  図２のＸ−Ｘ線断面図。
【図４】  図２の袖パネル取付部の拡大横断面図。
【図５】  図４のＹ−Ｙ断面図。
【符号の説明】
Ｆ１    片袖パネル付き玄関ドア装置
Ｆ２    両袖パネル付き玄関ドア装置
１      上枠
１ｍ    金属上枠
１ｐ    樹脂上枠
２      縦枠
２ｍ    金属縦枠
２１    取付縁
２ｐ    樹脂縦枠
３      金属下枠
４      方立
４１    取付縁
４ｍ    金属方立
４ｐ    樹脂方立
５      ドア
６      袖パネル
７      丁番
Ｏ１    ドア収容用開口
Ｏ２    パネル収容用開口
９      樹脂カバー
１０    金属製保持部材
１０ａ  ねじ受け部
【図１】
0003776339.tif 000002
【図２】
0003776339.tif 000003
【図３】
0003776339.tif 000004
【図４】
0003776339.tif 000005
【図５】
0003776339.tif 000006